(57)【要約】  【課題】  異物の挿入によるゴト行為を防止できる分離型遊技機を提供する。  【解決手段】  正面側に開口する筐体1と、筐体1内部に横方向に渡され、上下二つの空間に仕切る中板12と、開口上部11aを開閉自在な上扉30と、開口下部11bを開閉自在な下扉40と、図柄表示手段26と、基板と、図柄表示手段26及び基板に電力を供給する電源装置4とを少なくとも有する遊技機であって、図柄表示手段26及び基板を支持体21に設けた交換ユニット2を形成し、中板12上部に交換ユニット2を着脱自在に備え、中板12は手前縁13が開口部11より奥側に位置し、下扉40上部に、下扉40を閉めた際に中板12の手前縁13と当接し、かつ中板12と一体となり筐体1内部を上下二つの空間に分断する分離板14を設ける。【選択図】図２
2006122185.tif 000002
【特許請求の範囲】
【請求項１】
正面側に開口する筐形の筐体と、
前記筐体内部に横方向に渡されて、同筐体の内部空間を上下二つの空間に仕切る、板状の中板と、
筐体の開口部の上部を開閉自在に塞ぐ上扉と、
筐体の開口部の下部を開閉自在に塞ぐ下扉と、
複数の図柄を変動表示及び停止表示可能な図柄表示手段と、
図柄表示手段の作動を少なくとも制御するための基板と、
前記図柄表示手段及び基板に電力を供給する電源装置と、を少なくとも有する遊技機であって、
少なくとも図柄表示手段及び基板を支持体に設けた交換ユニットが形成されており、
中板の上部には、前記交換ユニットが着脱自在に備えられ、
前記中板は、その手前縁が筐体の開口部よりも奥側に位置するように形成され、
前記下扉の上部には、この下扉を閉めた際に、前記中板の手前縁と当接し、かつ、当該中板と一体となって、筐体の内部空間を上下二つの空間に分断するための分離板を設けたことを特徴とする分離型遊技機。
【請求項２】
中板の手前縁は、筐体の奥方向に向けて凹となる弧状に湾曲して形成されていることを特徴とする請求項１記載の分離型遊技機。
【請求項３】
分離板には、中板の手前縁と当接する奥側縁が形成されており、
中板の手前縁の、前記分離板の奥側縁に接触する面、及び、分離板の奥側縁の、前記面に接触する面が非直線形状に形成されていることを特徴とする請求項１又は２記載の分離型遊技機。
【発明の詳細な説明】
【技術分野】
【０００１】
本発明は、分離型遊技機に関し、さらに詳しくは、異物の挿入によるゴト行為を防止しやすい分離型遊技機に関するものである。
【背景技術】
【０００２】
従来のスロットマシンやパロット等の遊技機は、正面側に開口する筐体と、この開口部を開閉自在に塞ぐ前扉とからなり、この筐体の内部に、リールユニット（図柄表示手段）、遊技媒体払出ユニット、これらを制御する制御装置としての基板等を備えるのが一般的であった。
しかし、資源の有効利用、遊技機交換作業の簡易化及び経費削減等の観点から、遊技内容の変更に最低限必要な構成部品のみを交換し、筐体やその他の部品は交換せずにホールに残したままにしておく、いわゆる分離型遊技機が考案されている。この分離型遊技機の技術は、下記の特許文献１に開示されている。
【０００３】
具体的には、この分離型遊技機は、分離型スロットマシンであって、正面側に開口する筐形の筐体を有しており、この内部に、前記開口を上下二つの開口に仕切る中板を取付け、中板より上側の開口上部を開閉可能に塞ぐ上扉と、中板より下側の開口下部を開閉可能に塞ぐ下扉とを備え、中板上部にリールユニット（図柄表示手段）や主基板等を交換可能に配置するものとしている。また、この分離型スロットマシンでは、リールユニット（図柄表示手段）や主基板等を一体として交換可能とすべく、当該リールユニット（図柄表示手段）や主基板等を枠体などの支持体に備えた交換ユニットを形成し、中板上部に配置している。
【特許文献１】特開２００３−０４７６８４号公報
【発明の開示】
【発明が解決しようとする課題】
【０００４】
上述のような分離型スロットマシン（分離型遊技機）では、上扉及び下扉を閉じた状態で、上扉と下扉との間、及び、これらの扉と中板との間に、それぞれ間隙が生じてしまう。したがって、この間隙からピアノ線等の異物を挿入してゴト行為が行われるのを防止すべく、上扉と下扉との間の裏面には、上扉と下扉とをまたぐように、不正防止板が設けられている。
しかし、この不正防止板を破壊する等して、上扉及び下扉から当該不正防止板をむりやり除去することで、上述の隙間からピアノ線等の異物を挿入するというゴト行為が行われており、これが問題となっていた。
【０００５】
したがって、上記のような事情により、上扉と下扉との間、及び、これらの扉と中板との間に生じる隙間から異物を挿入するというゴト行為を防止できるような分離型遊技機の提供が望まれている。
そこで、各請求項に記載された発明は、上記した従来の技術の有する問題点に鑑みてなされたものであり、その目的とするところは、以下の点にある。
すなわち、本発明は、上記事情に鑑みてなされたものであり、ピアノ線等の異物を挿入するというゴト行為を防止することができるような分離型遊技機を提供することを目的とする。
【課題を解決するための手段】
【０００６】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、正面側に開口する筐形の筐体1と、前記筐体1内部に横方向に渡されて、同筐体1の内部空間を上下二つの空間に仕切る、板状の中板12と、筐体1の開口部11の上部を開閉自在に塞ぐ上扉30と、筐体1の開口部11の下部を開閉自在に塞ぐ下扉40と、複数の図柄を変動表示及び停止表示可能な図柄表示手段26と、図柄表示手段26の作動を少なくとも制御するための基板と、前記図柄表示手段26及び基板に電力を供給する電源装置4と、を少なくとも有する遊技機であって、少なくとも図柄表示手段26及び基板を支持体21に設けた交換ユニット2が形成されており、中板12の上部には、前記交換ユニット2が着脱自在に備えられ、前記中板12は、その手前縁13が筐体1の開口部11よりも奥側に位置するように形成され、前記下扉40の上部には、この下扉40を閉めた際に、前記中板12の手前縁13と当接し、かつ、当該中板12と一体となって、筐体1の内部空間を上下二つの空間に分断するための分離板14を設けたことを特徴とする。
【０００７】
ここで、遊技機としては、スロットマシン、パロット遊技機などが挙げられる。
また、この遊技機には、上記の他に、入賞により遊技媒体を払い出すとともに遊技媒体を貯留しておくための遊技媒体払い出しユニット27などが備えられていてもよい。また、遊技における各種当選役の抽選確率を変更する設定変更部7が備えられていてもよい。設定変更部7は、特にその設置位置は限定されるものではなく、たとえば、中板12の下面に固定して設置することができる。また、筐体1の底板15や側板16等に固定して設置することもできる。また、中板12の上方における筐体1の背板18等に固定して設置することもできる。また、遊技媒体としては、スロットマシンに用いられる遊技メダルや、パロット遊技機に用いられる遊技球が挙げられる。
【０００８】
筐体1は、その内部に遊技機の構成部品や装置等を収納する箱体であって、その正面側が開口している。ここで「正面」とは、遊技機と対向して遊戯を行う遊技者が位置する方向をいう。また、筐体1は、その内部に装置等を収納できれば良いものであって、特に材質を限定するものではない。たとえば、木板によって構成されていても良く、また、金属板あるいはプラスチック板によって構成されていても良い  。
中板12は、上述の如く、遊技機を構成する筐体1の内部空間を上下二つの空間に仕切る板材であって、筐体1の内部に横方向に渡したものである。ここで「横方向」とは、筐体1の一方の側面から他方の側面に至る方向をいう。すなわち、前記中板12は筐体1の内部を、左側面から右側面まで渡される。また、前記中板12は、その材質については特に限定されるものではなく、たとえば、木板でもよく、又は、薄板金属板等でもよい。
【０００９】
また、中板12は、その手前縁13が筐体1の開口部11よりも奥側に位置するように形成されている。ここで「手前」とは、上述の「正面」と同義であり、遊技機と対向して遊技を行う遊技者が位置する方向をいう。すなわち、中板12の手前縁13は、筐体1の開口部11よりも筐体1の外部へ突出することなく、筐体1の開口部11よりも筐体1の内部に収まるように形成するものとする。中板12は、その手前縁13が筐体1の開口部11よりも奥側に位置していれば、当該手前縁13の形状は特に限定されるものではないが、後述する下扉40の開閉を容易なものとすべく、円弧状とするのが望ましい。
前記上扉30及び下扉40は、筐体1の開口部11の上部、及び、同開口部11の下部をそれぞれ開閉自在であって、両扉を閉めると遊技機の正面構造となるように形成されているものである。前記上扉30及び下扉40は、筐体1に直接設けることができる。また、後述するように、中板12の上部には交換ユニット2が備えられるが、この交換ユニット2を構成する支持体21に、前記上扉30及び下扉40を設けることもできる。
【００１０】
また、前記下扉40には、その上部に、下扉40を閉じた際に、中板12の手前縁13と当接するとともに、中板12と一体となる分離板14が設けられる。この分離板14は、下扉40と一体に成形されるものでもよく、又は、別部材として下扉40に備えられるように形成してもよい。また、分離板14の材質については特に限定されるものではなく、たとえば、木板でもよく、又は、薄板金属板等でもよい。
また、上述の如く、分離板14には、中板12の手前縁13と当接する奥側縁20が形成されている。分離板14の奥側縁20の形状は、中板12の手前縁13と合致することができる形状であれば、特に限定されるものではないが、分離板14は、下扉40から奥方向に向けて突出するように形成されるため、この分離板14により下扉40の開閉が困難なものとならないよう、円弧状とするのが望ましい。
【００１１】
また、これらの扉には、後述する図柄表示手段26を見ることができる図柄表示窓31や、遊技機を操作するための操作部41等を設けることができるものである。
図柄表示手段26とは、上述の如く、複数の図柄を変動表示及び停止表示させることができるものであり、リールユニット22や液晶表示ユニットなどが含まれる。ここで、リールユニット22は、複数の駆動モータを有し、各駆動モータの回転軸に、各々、表面に複数の図柄が表示された回転リール23が固定されているものである。
基板としては、たとえば、遊技機の各装置の作動を制御することができる電子部品を搭載した基板である主基板が挙げられる。前記主基板は、ＲＯＭ、ＲＡＭ、ＣＰＵ等を有しており、主として、当選の抽選や、図柄表示手段26における図柄変動表示及び停止表示など遊技を制御するものである。また、前記主基板のみを備えるのではなく、図柄表示手段26などの作動以外を制御することができる基板として副基板を備えることも可能である。また、基板は、不正防止等の観点から、密封可能なケースなどに収納するのが望ましい。また、主基板及び副基板などを、上記のようにケースに収納して一体に構成することで、基板ユニット24を形成することもできる。このように、基板は、基板ユニット24として筐体1内に設けることもできる。
【００１２】
前記電源装置4は、遊技機に電源を入れるためのものであり、電源基板や操作スイッチ等からなっている。具体的には、前記電源装置4は、図柄表示手段26、基板等に電力を供給する。また、電源装置4は、上述の設定変更部7と一体に構成することで、電源ユニット9として形成することができる。
前記交換ユニット2は、少なくとも、支持体21、図柄表示手段26及び主基板等の基板から構成されているが、他の構成部品が含まれていてもよい。
前記支持体21は、たとえば枠体等が挙げられるが、図柄表示手段26と基板とを支持することができるものであり、さらに、図柄表示手段26及び基板を一体的に取り扱い可能とするものである。この枠体は、図柄表示手段26及び基板等の機器を設置することが可能な強度を有する枠状の構造体であれば良いものであり、具体的には、たとえば直方体状の枠構造からなる金属枠のようなものを含むものである。そして、この支持体21としての枠体の内部には、複数の仕切り等を設けて、基板等を配置しやすくしても良いものである。
【００１３】
また、この支持体21は、たとえばクリップなどの固定装置10により筐体1内部に固定されると共に、固定装置10による固定を解除することにより、筐体1から取り出し可能となっている。
また、前記交換ユニット2は、支持体21に図柄表示手段26及び基板を設置したものに限定されるものではない。上述のように、交換ユニット2を、図柄表示手段26及び基板を設置した支持体21と、上扉30とを組み合わせたものにしても良いものである。
前記中板12の上部には、交換ユニット2を備える。この交換ユニット2は、中板12の上に載せるだけでも良く、中板12の上にネジ等により取り付けても良い。また、交換ユニット2は、筐体1の天板17から吊り下げるような形で支持して、中板12の上方に位置するようにしてもよい。
【００１４】
（作用）
本発明によれば、中板12は、その手前縁13が筐体1内部の奥側に位置するように形成され、かつ、下扉40には、その上部に、下扉40を閉じた際に、中板12の手前縁13と当接し、かつ、中板12と一体となる分離板14が設けられている。これにより、下扉40を閉じると、一体となった中板12と分離板14とにより、筐体1の内部空間が上下二つの空間に分断される。この際、中板12と分離板14との間には隙間は形成されず、かつ、中板12と分離板14とが当接する部分は筐体1内部の奥側に位置することとなるため、上扉30と下扉40との間の隙間からピアノ線などの異物を挿入しても、中板12よりも下方の内部空間までは異物を到達させることが困難となり、ひいては、中板12の下方に備えられた各装置を不正に操作するようなゴト行為を防止することができる。
【００１５】
（請求項２）
請求項２記載の発明は、上記請求項１記載の発明の特徴に加え、中板12の手前縁13は、筐体1の奥方向に向けて凹となる弧状に湾曲して形成されていることを特徴とする。
（作用）
本発明では、中板12の手前縁13が、筐体1の奥方向に向けて凹となる弧状に湾曲していることから、これと当接する分離板14の奥側縁20は、筐体1の奥方向に向けて凸となる弧状に湾曲することとなる。したがって、下扉40を開閉する際に、分離板14が筐体1に引っ掛かることを防止することができる。
【００１６】
（請求項３）
請求項３記載の発明は、上記請求項１又は２記載の発明の特徴に加え、分離板14には、中板12の手前縁13と当接する奥側縁20が形成されており、中板12の手前縁13の、前記分離板14の奥側縁20に接触する面、及び、分離板14の奥側縁20の、前記面に接触する面が非直線形状に形成されていることを特徴とする。
中板12の手前縁13の、前記分離板14の奥側縁20に接触する面、及び、分離板14の奥側縁20の、前記面に接触する面が非直線形状に形成されている、ということは、これらの面を筐体1の側板16側から見た時の形状が、単純な直線形状とはならないように形成されていることを意味する。たとえば、クランク形状（矩形状の凹凸）、Ｖ字、円弧状の凹凸などとすることができる。
【００１７】
（作用）
本発明によれば、中板12の手前縁13の、前記分離板14の奥側縁20に接触する面、及び、分離板14の奥側縁20の、前記面に接触する面が非直線形状であることにより、中板12と分離板14とが当接する部分から、中板12より下方の内部空間に異物を挿入しようとしても、この断面の形状に沿って、異物を挿入することは非常に困難なものとなるため、より効果的に中板12の下方に備えられた各装置を不正に操作するようなゴト行為を防止することができる。
【発明の効果】
【００１８】
本発明は、以上のように構成されているので、ピアノ線等の異物を挿入するというゴト行為を防止することができるような分離型遊技機を提供することができる。
【発明を実施するための最良の形態】
【００１９】
以下、本発明の実施の形態を図面を参照しつつ説明する。
（１）第１の実施の形態
（図面の説明）
図１ないし図５は、本発明の第１の実施の形態を示すものである。
図１は、分離型スロットマシンＳを分解した状態を示す斜視図である。図２は、分離型スロットマシンＳを構成する筐体1に下扉40を取り付けた状態を示す斜視図である。図３は、下扉40を閉じる前の、中板12及び分離板14の状態を示した上面図（ａ）、及び、下扉40を閉じた際の、中板12及び分離板14が係合した状態を示した上面図（ｂ）である。図４は、中板12と分離板14とを係合した状態の側断面を示した図（ａ）、及び、その変形例（ｂ）、（ｃ）である。図５は、交換ユニット2を筐体1に収納した状態を示す斜視図である。
【００２０】
本実施の形態における分離型遊技機は、分離型スロットマシンＳである。
この分離型スロットマシンＳは、図１に示すように、正面側に開口部11を有し、かつ、内部空間を上下方向に仕切る水平状の中板12を有する筐体1と、筐体1内部で中板12上に着脱自在に設けられる交換ユニット2と、筐体1の開口部11を開閉可能に塞ぐ前扉3とから構成されており、さらにこの前扉3は、筐体1の、中板12上部である開口上部11aを開閉可能に塞ぐ上扉30と、筐体1の、中板12下部である開口下部11bを開閉可能に塞ぐ下扉40とから構成されている。
（筐体1）
図１に示すように、筐体1は、底板15、右側板16a、左側板16b、天板17及び背板18からなる正面側に開口する箱体であり、高さ方向略中央部には、二つの側板16の間に水平方向に中板12が設けられている。
【００２１】
そして、底板15には電源ユニット9及びホッパーユニット5（遊技媒体払出ユニット27）が固定されている。電源ユニット9には、特に図示しないが電源装置4が内装されていると共に、遊技における各種当選役の抽選確率を変更するための設定変更部7が設けられている。設定変更部7には、特に図示しないが、設定変更用のキーを挿入するための鍵穴や、設定を切り替える設定変更ボタン等の設定変更操作部が備えられている。電源ユニット9及びホッパーユニット5（遊技媒体払出ユニット27）は、遊技性に影響を与える部品ではないことから、交換ユニット2の交換に際し、必ずしも交換する必要のないものであり、交換時には設置されたままにしておけるようになっている。
【００２２】
また、特に図示しないが、前記右側板16aの、中板12より下方には、集中端子板が取り付けられている。集中端子板とは、総メダル投入枚数、総メダル払い出し枚数、総回転数、大当たり抽選回数などの遊技に関するデータを、ホールコンピュータ等との間で送受信する装置である。この集中端子板は、ホールコンピュータとのネットワーク接続ができるのであれば、たとえば筐体1の右側板16a又は左側板16bに備えても良く、中板12の下面に備えても良い。
（交換ユニット2）
交換ユニット2は、図１に示すように、種々の部品を設置あるいは固定するための支持体21と、この支持体21に固定された図柄表示手段26としてのリールユニット22、及び、基板を収納する基板ユニット24から形成されている。
【００２３】
ここで、リールユニット22は、複数の駆動モータを有し、各駆動モータの回転軸には、各々、表面に複数の図柄が表示された回転リール23が固定されている。また、前記基板ユニット24には、遊技及びスロットマシンの作動を制御するための主基板と、各種演出を行うための副基板が含まれている。
前記支持体21は、図１に示すように枠体構造となっている。また、この支持体21の左側には、前記上扉30を係合させ、回転自在となるように支持するための上部係合部51が上下方向に間隔を置いてそれぞれ二つずつ設けられている。
交換ユニット2は、筐体1の中板12の上に載置され、開口上部11a内部に収納されるものである。その後、交換ユニット2は、固定装置10により筐体1に固着される。
【００２４】
（上扉30）
上扉30は、交換ユニット2の支持体21の左側に回転自在に支持され、かつ、支持体21の右側でロック可能に形成されている板状の扉であり、略中央部に前記回転リール23の図柄を正面側から見ることができる図柄表示窓31を有し、周囲に飾り部33を設けてある。そして、種々の表示を行うための表示部32が設けられているものである（図１参照）。
ここで、前記飾り部33は、ランプ等により形成しても良く、入賞の報知その他の演出時にランプが点滅するようにしてもよい。また、前記表示部32は、７セグメントＬＥＤ等により数字を表示するものや、特に図示しないが、画像を表示するための液晶画面あるいはＣＲＴなどとしてもよい。
【００２５】
さらに、特に図示しないが、上扉30の裏面には、前記上部係合部51に係合可能な上扉係合部が上下方向に間隔をおいて二つ設けられており、上扉係合部の対向側には、ロック機構6が設けられている。そして、特に図示しないが、上扉30の裏面上部の左右には、種々の音声を出力するためのスピーカが設けられている。
このロック機構6は、上扉30側に設けられた係止片が、交換ユニット2の右側に設けられた凸部（特に図示しておらず）に係止され、扉を閉めると自動的にロックされ、解錠手段によりロックが解除されるように形成されている。
以上のように構成された上扉30は、前記交換ユニット2を筐体1に固着した状態で、扉を閉めロックすることにより、筐体1の開口上部11aを密閉することができるものである。
【００２６】
（下扉40）
下扉40は、筐体1の開口下部11bを塞ぐための扉であり、筐体1の側板16に回転自在かつロック可能に形成されているものである。
下扉40の上部は、スロットマシンを作動させるための操作部41となっており、下扉40の上面は、閉扉時においては、上扉30よりも前側に突出するようになっている。また、下扉40の下部には払い出されたメダルを溜めておくためのメダル受け皿43が形成されており、前記操作部41とメダル受け皿43との間には、遊技内容その他の表示をするための表示パネルが取り付けられている（図１参照）。
【００２７】
前記操作部41としては、図１に示すように、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉3を解錠するためのものであり、この穴に所定の鍵を差し込んで回すと、下扉40のロックが解除されるものである。そして、下扉40が解錠されることにより、上扉30も解放可能に形成されている。
さらに、特に図示しないが、下扉40の裏面側には、前記メダル投入口42から投入されたメダルを誘導しながらメダルの正偽を判断するためのメダルセレクターが設けられている。
【００２８】
また、特に図示しないが、下扉40の裏面には、筐体1の左側板16bと係合可能な下扉係合部が上下方向に間隔をおいて二つ設けられており、下扉係合部の対向側には、ロック機構6が設けられている。ロック機構6の構成は、上扉30のものとほぼ同様である。
また、図１及び図２に示すように、下扉40の上部には、筐体1の奥方向に向けて凸となる弧状に湾曲するように形成された分離板14が備えられている。
また、分離板14には、後述する中板12の手前縁13と当接する奥側縁20が形成されている。また、中板12の手前縁13の、前記分離板14の奥側縁20に接触する面、及び、分離板14の奥側縁20の、前記面に接触する面は、矩形の凹凸形状となっている（図４（ａ）参照）。これらの面の形状は、矩形の凹凸形状以外にも、Ｖ字形状や円弧上の凹凸形状とすることもできる（図４（ｂ）及び図４（ｃ）参照）。
【００２９】
また、この分離板14の奥側縁20には、下扉40を閉じる際の回転方向と同方向に向けて突出する板係合突部19が複数備えられている（図１及び図３参照）。
（中板12）
中板12は、その手前縁13が、下扉40を閉じた際に、分離板14の奥側縁20と合致する形状に切り欠かれて、形成されている（図３（ａ）参照）。すなわち、中板12の手前縁13は、筐体1の奥方向に向けて凹となる弧状に湾曲するように形成されている。これにより、この中板12の手前縁13と分離板14の奥側縁20とが合致することとなる（図２及び図３（ｂ）参照）。
【００３０】
また、上述のように、中板12の手前縁13の、前記分離板14の奥側縁20に接触する面、及び、分離板14の奥側縁20の、前記面に接触する面は矩形の凹凸形状となっている（図４（ａ）参照）。また、下扉40を閉じた際に、分離板14の奥側縁20に備えられた板係合突部19と対応する中板12の手前縁13には、この板係合突部19と係合することができる孔である、板係合孔8が設けられている（図１及び図３（ａ）参照）。
（中板12と下扉40との係合）
下扉40を回転して閉じた際に、分離板14の奥側縁20に備えられた板係合突部19が、中板12の手前縁13に設けられた板係合孔8に挿入される。そして、この板係合突部19が板係合孔8に係止されることにより、中板12と下扉40とが位置決めされるともに、固定される（図２及び図３（ｂ）参照）。
【００３１】
そして、中板12の手前縁13と分離板14の奥側縁20とは合致し、中板12と分離板14とが一体となり、これにより筐体1の内部空間が上下二つの空間に分断される（図２参照）。
（総括）
上述の如く、下扉40を閉じた際には、中板12の手前縁13と分離板14の奥側縁20とが合致し、中板12と分離板14とが一体となって、筐体1の内部空間が上下二つの空間に分断される。これにより、上扉30と下扉40との間の隙間から筐体1内部にピアノ線等の異物を挿入したとしても、中板12と分離板14とが当接する部分から、中板12の下方に異物を挿入することは困難なものとなるため、中板12の下方に備えられた各装置を不正に操作するようなゴト行為を防止することができる。たとえば、本実施の形態では、中板12の下方には電源ユニット9が備えられているが、この電源ユニット9における設定変更部7を不正に操作して設定を変更するようなゴト行為は防止されることとなる。
【００３２】
さらに、中板12の手前縁13の、前記分離板14の奥側縁20に接触する面、及び、分離板14の奥側縁20の、前記面に接触する面が矩形の凹凸形状となっており、中板12と分離板14とが当接する部分から、中板12の下方にピアノ線等の異物を挿入しようとしても、この凹凸形状に沿って異物を挿入しなければならず、この中板12の下方への異物の挿入はより困難なものとなる。したがって、上述のようなゴト行為の防止効果を更に高めることができる。
また、中板12の手前縁13と分離板14の奥側縁20とが合致して固定されるため、下扉40の開閉が繰り返し行われた場合にも、下扉40と筐体1との係合部が劣化して下扉40が傾き、上扉30と下扉40との間の隙間が広くなってしまうことを防止することができる。
【００３３】
（２）第２の実施の形態
本発明の第２の実施の形態は、交換ユニット2の設置構造、及び、分離板14の構造が、第１の実施の形態と相違し、他については第１の実施の形態と同一である。この相違点について具体的に説明する。
（図面の説明）
図６及び図７は、本発明の第２の実施の形態を示した図である。
図６は、分離型スロットマシンＳを分解した状態を示す斜視図である。図７は、中板12と分離板14とを係合した状態の側断面を示した図である。
【００３４】
本実施の形態に係る分離型スロットマシンＳにおいて、筐体1にはガイドレール61が設けられている。そして、交換ユニット2には、前記ガイドレール61と係合するレール係合部66が設けられている。このレール係合部66がガイドレール61に係合すると、交換ユニット2は筐体1の天板17に吊り下げられるような形で支持され、中板12の上方に収納されることとなる。これについては後述する。
（筐体1）
図６に示すように、筐体1は、第１の実施の形態と同様に、底板15、右側板16a、左側板16b、天板17及び背板18からなる正面側に開口する箱体であり、高さ方向略中央部には、二つの側板16の間に水平に中板12が設けられている。
【００３５】
また、筐体1の天板17には二本のガイドレール61が設けられている。このガイドレール61は、天板17の下面に、奥行き方向にわたって平行して一対設けられている（図６及び図７参照）。
（交換ユニット2）
交換ユニットは、第１の実施の形態と同様に、種々の部品を設置あるいは固定するための支持体21を備えている。そして、この支持体21は、図６に示すような枠体構造となっている。
また、交換ユニット2の上面には、前記ガイドレール61と対応する位置にレール係合部66が設けられている。このレール係合部66には、特に図示しないが、ガイドローラが設けられており、前記ガイドレール61のレール上をガイドローラが摺動可能に形成されているとともに、レール係合部66及びガイドローラが、ガイドレール61と係合可能に形成されている（図６参照）。
【００３６】
（分離板14）
分離板14の奥側縁20には、その全長に渡って、高さ方向に盛り上がる段部71が形成されている（図７及び図８参照）。この段部71は、分離板14の奥側縁20のみに形成するのではなく、中板12の手前縁13に形成してもよい。
（総括）
上述の如く、下扉40を閉じた際には、中板12の手前縁13と分離板14の奥側縁20とが当接し、中板12と分離板14とが一体となって、筐体1の内部空間が上下二つの空間に分断される。これにより、上扉30と下扉40との間の隙間から筐体1内部にピアノ線等の異物を挿入したとしても、中板12と分離板14とが当接する部分から、中板12の下方に異物を挿入することは困難なものとなるため、中板12の下方に備えられた各装置を不正に操作するというゴト行為を防止することができる。
【００３７】
そして、このように、分離板14の奥側縁20に、高さ方向に盛り上がる段部71を形成することで、中板12と分離板14とが当接する部分まで異物を到達させることを困難なものとすることができるため、上述のようなゴト行為をより効果的に防止することが可能となる。
（他の実施の形態）
本発明は、上述したような遊技媒体として円板状の遊技メダルを使用するスロットマシンに限定されるものではなく、スロットマシン以外の遊技機にも応用することができる。たとえば、遊技媒体として、遊技メダルの代わりにパチンコ玉などの遊技球を用いて、スロットマシンと同様の遊技を行わせるパロット遊技機にも適用することができる。
【図面の簡単な説明】
【００３８】
【図１】本発明の第１の実施の形態であって、分離型スロットマシンを分解した状態を示す斜視図である。
【図２】本発明の第１の実施の形態であって、分離型スロットマシンを構成する筐体に下扉を取り付けた状態を示す斜視図である。
【図３】本発明の第１の実施の形態であって、下扉を閉じる前の、中板及び分離板の状態を示した上面図（ａ）、及び、下扉を閉じた際の、中板及び分離板が係合した状態を示した上面図（ｂ）である。
【図４】本発明の第１の実施の形態であって、中板と分離板とが係合した状態の側断面を示した図（ａ）、及び、その変形例（ｂ）、（ｃ）である。
【図５】本発明の第１の実施の形態であって、交換ユニットを筐体に収納した状態を示す側断面図である。
【図６】本発明の第２の実施の形態であって、分離型スロットマシンを分解した状態を示す斜視図である。
【図７】本発明の第２の実施の形態であって、分離型スロットマシンを構成する筐体に下扉を取り付けた状態を示す斜視図である。
【図８】本発明の第２の実施の形態であって、中板と分離板とを係合した状態の側断面を示した図である。
【符号の説明】
【００３９】
Ｓ  分離型スロットマシン
1  筐体                  2  交換ユニット
3  前扉                  4  電源装置
5  ホッパーユニット      6  ロック機構
7  設定変更部            8  板係合孔
9  電源ユニット
10  固定装置            11  開口部
11a 開口上部            11b 開口下部
12  中板                13  手前縁
14  分離板              15  底板
16  側板                16a 右側板
16b 左側板              17  天板
18  背板                19  板係合突部
20  奥側縁
21  支持体              22  リールユニット
23  回転リール          24  基板ユニット
26  図柄表示手段        27  遊技媒体払出ユニット
30  上扉                31  図柄表示窓
32  表示部              33  飾り部
40  下扉                41  操作部
42  メダル投入口        43  メダル受け皿
44  鍵穴                51  上部係合部
61  ガイドレール        66  レール係合部
71  段部
【図１】
2006122185.tif 000003
【図２】
2006122185.tif 000004
【図３】
2006122185.tif 000005
【図４】
2006122185.tif 000006
【図５】
2006122185.tif 000007
【図６】
2006122185.tif 000008
【図７】
2006122185.tif 000009
【図８】
2006122185.tif 000010